(57)【要約】      （修正有）【課題】小さいスペースを占めて、取付・分解しやすい運搬籠を提供する。【解決手段】日常用品の領域、特に折り畳める運搬籠に係り、底骨組み１、二つの相互に対置される側面骨組み２と二本の接続レバー３，４を含み、前記各接続レバーは第一レバー部品３、第二レバー部品４と接続体からなる。また、前記側面骨組みの底部と底骨組みとは回転接続し、前記第一レバー部品の可動端末と第二レバー部品の可動端末とは接続体を通じて接続し、前記第一レバー部品の固定端末と第二レバー部品の固定端末とはそれぞれ両側の側面骨組みとは回転接続する。【選択図】図１
0003172727.tif 000002
【実用新案登録請求の範囲】
【請求項１】
底骨組み（１）と相互に対置される二つの側面骨組みを含み、それに２本の接続レバーも含み、前記各接続レバーは皆第一レバー部品（3）、第二レバー部品（4）と接続体からなり、前記側面骨組み（2）底部と底骨組み（1）とは回転接続し、前記第一レバー部品（3）の可動端末と第二レバー部品（4）の可動端末とは接続体を通じて接続し、前記第一レバー部品（3）の固定端末及び第二レバー部品（4）の固定端末と両側の側面骨組み（2）とそれぞれ回転接続する
ことを特徴とする折り畳める運搬籠。
【請求項２】
．前記接続体がスリップ・キャップ（11）、ボタン（13）とスプリング（14）を含み、前記第二レバー部品（4）が中空で、側壁に固定溝（21）が開けられ、前記固定溝（21）にボタン（13）が取り付けられ、前記スプリング（14）がボタン（13）下側に設置され、前記スリップ・キャップ（11）が中空で、第二レバー部品（4）とすき間はめをし、前記スリップ・キャップ（11）にボタン（13）と嵌める位置決め溝（22）が開けられ、第一レバー部品（3）と第二レバー部品（4）とは接続した後、ボタン（13）は固定溝（21）と位置決め溝（22）を通り抜ける
ことを特徴とする請求項１に記載の折り畳める運搬籠。
【請求項３】
前記接続体がスリップ・キャップ（11）、位置決め軸（12）、ボタン（13）、スプリング（14）と位置決めスリーブ（15）を含み、前記位置決めスリーブ（15）は第一レバー部品（3）の可動端末箇所に接続され、前記位置決めスリーブ（15）の第二レバー部品（4）に向く端面にテーパー付き位置決め穴がある（25）
前記位置決め軸（12）が第二レバー部品（4）の可動端末箇所に取り付けられ、前記位置決め軸（12）はノッチ（24）を持ち、前記位置決め軸（12）の第一レバー部品（3）に向く端面がテーパー付き的位置決め部（23）に伸び、前記位置決め部（23）が位置決め穴（25）と配合し、前記ノッチ（24）にボタン（13）が嵌められ、前記スプリング（14）がボタン（13）下側に設置される。
前記スリップ・キャップ（11）が中空で、第二レバー部品（4）とはすき間はめをして、前記スリップ・キャップ（11）にボタン（13）と配合する位置決め溝（22）が開けられ、第一レバー部品（3）が第二レバー部品（4）と接続した後、ボタン（13）が固定溝（21）と位置決め溝（22）を通り抜ける。
ことを特徴とする請求項１に記載の折り畳める運搬籠。
【請求項４】
前記第二レバー部品（4）外壁面に、長さ方向に沿って伸びるガイドレール（16）が設置され、前記スリップ・キャップ（11）の内壁面に長さ方向に沿って伸びるガイド溝（17）が設置され、前記ガイドレール（16）がガイド溝（17）と配合する
ことを特徴とする請求項2又は3に記載の折り畳める運搬籠。
【請求項５】
前記スリップ・キャップ（11）の内穴に面取り(19)が設置され、前記ボタン（13）の縁がフィレット過渡である。
ことを特徴とする請求項2又は3に記載の折り畳める運搬籠。
【請求項６】
前記第二レバー部品（4）の外壁面上の止め突起(18)が設置することを特徴とする請求項2又は3に記載の折り畳める運搬籠。
【考案の詳細な説明】
【技術分野】
【０００１】
本実用新案は日常用品の領域の運搬籠に係り、特に折り畳める運搬籠に関する。
【背景技術】
【０００２】
現在の運搬籠は、殆ど形状が固定していて、折り畳めない又は取り外せず、使用しない時に保存スペースが大きい欠点があった。市場に一部分の折り畳める運搬籠があるが、接続部が固くないので、損害し易く、それに使用者が接続時に運搬籠の骨を折り、人たちに多くの不便をもたらした。
【考案の開示】
【考案が解決しようとする課題】
【０００３】
本実用新案は上記問題を解決し、小さいスペースを占めて、取付・分解しやすい運搬籠を提供することを目的とする。
【課題を解決するための手段】
【０００４】
一種の折り畳める運搬籠で、底骨組みと相互に対置される二つの側面骨組みを含み、それに二本の接続レバーも含む。前記各接続レバーは全部第一レバー部品、第二レバー部品と接続体からなり、前記側面骨組み底部は底骨組みと回転接続し、前記第一レバー部品の可動端末と第二レバー部品の可動端末とは接続体を通じて接続し、前記第一レバー部品の固定端末及び第二レバー部品の固定端末と両側側面骨組みとは回転接続する。
【０００５】
上述技術方案の基礎の上に、前記接続体はスリップ・キャップ、ボタンとスプリングを含み、前記第二レバー部品は中空で、側壁に固定溝が開けられ、前記固定溝にボタンが取り付けられ、前記スプリングはボタン下側に取り付けられ、前記スリップ・キャップは中空で、第二レバー部品とはすき間はめをして、前記スリップ・キャップにボタンと配合する位置決め溝が開けられ、第一レバー部品が第二レバー部品と接続した後、ボタンは固定溝と位置決め溝を通り抜ける。
【０００６】
上述技術方案の代替方案としては、前記接続体がスリップ・キャップ、位置決め軸、ボタン、スプリングと位置決めスリーブを含み、前記位置決めスリーブが第一レバー部品の可動端末箇所に取り付けられ、前記位置決めスリーブの第二レバー部品に向く端面に一つのテーパ付き位置決め穴が開けられている。
【０００７】
前記位置決め軸は第二レバー部品の可動端末箇所に取り付けられ、前記位置決め軸に一つのノッチが付き、前記位置決め軸の第一レバー部品に向く端面はテーパ付き位置決め部に伸びて、前記位置決め部は位置決め穴と配合し、前記ノッチにボタンが嵌められ、前記スプリングがボタン下側に設置されている。
前記スリップ・キャップは中空で、第二レバー部品とはすき間はめし、前記スリップ・キャップに、ボタンと配合する位置決め溝が設置され、第一レバー部品が第二レバー部品と接続した後、ボタンは固定溝と位置決め溝を通り抜ける。
【０００８】
上述技術方案の基礎の上に、前記第二レバー部品外壁面に長さ方向を沿って伸びるガイドレールが設置され、前記スリップ・キャップ内壁面に長さ方向を沿って伸びるガイド溝が設置され、前記ガイドレールはガイド溝と配合する。
【０００９】
上述技術方案の基礎の上に、前記スリップ・キャップの内穴に面取りが付き、前記ボタンの縁はフィレット過渡である。
上述技術方案の基礎の上に、前記第二レバー部品の外壁面に止め突起が設置されている。
【考案の効果】
【００１０】
本実用新案は次の優位性を持つ：小さいスペースを占めて、取付・分解しやすく、構造が安定で、応用範囲が広い。
【図面の簡単な説明】
【００１１】
【図１】本実用新案の立体構造の斜視図である。
【図２】実施例1で述べた接続レバー部分の分解見取図（局部断面付き）である。
【図３】実施例2で述べた接続レバー部分の分解見取図（局部断面付き）である。
【図４】実施例2で述べた位置決めスリーブの断面構造見取図である。
【符号の説明】
【００１２】
1. 底骨組み，2. 側面骨組み，3. 第一レバー部品，4.第二レバー部品；
11. スリップ・キャップ、12. 位置決め軸、13. ボタン、14.
スプリング、15. 位置決めスリーブ、16. ガイドレール、17. ガイド溝、18. 止め突起、19.
面取り。
21. 固定溝、22.位置決め溝、23. 位置決め部、24.
ノッチ、25. 位置決め穴。
【考案を実施するための形態】
【００１３】
次に添付図面と実施例に基づいて本実用新案に対して更に説明する：
【実施例１】
【００１４】
図1と図2で示すように、一種の折り畳める運搬籠は、底骨組み1と相互に対置される二つの側面骨組み2を含み、それに二本の接続レバーを含み、前記の各接続レバーは皆第一レバー部品3、第二レバー部品4と接続体からなり、前記側面骨組み2底部と底骨組み1は回転接続し、前記第一レバー部品3の可動端末と第二レバー部品4の可動端末は、接続体を通じて接続し、前記第一レバー部品3の固定端末及び第二レバー部品4の固定端末は、それぞれ両側側面骨組み2と回転接続する。
【００１５】
最適化した前記接続体は、スリップ・キャップ11、ボタン13とスプリング14を含み、前記第二レバー部品4は中空で、側壁に固定溝21が開けられ、前記固定溝21にボタン13が取り付けられ、前記スプリング14がボタン13下側に設置され、前記スリップ・キャップ11が中空で、第二レバー部品4とはすき間はめをして、前記スリップ・キャップ11にボタン13と配合する位置決め溝22が配置されて、第一レバー部品3が第二レバー部品4と接続した後、ボタン13が固定溝21と位置決め溝22を通り抜ける。
【００１６】
最適化した前記第二レバー部品4外壁面に、長さ方向を沿って伸びるガイドレール16が設置され、前記スリップ・キャップ11内壁面に、長さ方向を沿って伸びるガイド溝17が設置され、前記ガイドレール16がガイド溝17と配合する。
【００１７】
更に述べると、前記スリップ・キャップ11の内穴に面取り19が付き、前記ボタン13の縁はフィレット過渡である。
もっと更に述べると、前記第二レバー部品4の外壁面に止め突起18が設置されている。
【実施例２】
【００１８】
図1、図3と図4の示すように、一種の折り畳める運搬籠で、底骨組み1と相互に対置される二つの側面骨組み2を含み、これと同時に、二本の接続レバーを含み、前記各接続レバーは、第一レバー部品3、第二レバー部品4と接続体からなり、前記側面骨組み2底部と底骨組み1とは回転接続し、前記第一レバー部品3の可動端末と第二レバー部品4の可動端末とは接続体を通じて接続し、前記第一レバー部品3の固定端末及び第二レバー部品4の固定端末はそれぞれ両側側面骨組み2と回転接続する。
【００１９】
最適化した前記接続体は、スリップ・キャップ11、位置決め軸12、ボタン13、スプリング14と位置決めスリーブ15を含み、前記位置決めスリーブ15は第一レバー部品3の可動端末箇所に取り付けられ、前記位置決めスリーブ15の第二レバー部品4に向く端面にテーパ付き位置決め穴25が開けられている。
【００２０】
前記位置決め軸12は、第二レバー部品4の可動端末箇所に取り付けられ、前記位置決め軸12は一つのノッチ24が付き、前記位置決め軸12の第一レバー部品3に向く端面がテーパ付き位置決め部23に伸び、前記位置決め部23は位置決め穴25と配合し、前記ノッチ24にボタン13が嵌められ、前記スプリング14はボタン13下側に設置されている。
【００２１】
前記スリップ・キャップ11は中空で、第二レバー部品4とはすき間はめをし、前記スリップ・キャップ11に、ボタン13と配合する位置決め溝22が開けられ、第一レバー部品3が第二レバー部品4と接続した後、ボタン13は固定溝21と位置決め溝22を通り抜ける。
【００２２】
第一レバー部品3と第二レバー部品4を接続する必要がある場合、まず第一レバー部品3可動端末を第二レバー部品4の可動端末と接続し、前記位置決め軸12の位置決め部23が位置決めスリーブ15の位置決め穴25と嵌めて、第一レバー部品3と第二レバー部品4との同軸度を保持し、これからスリップ・キャップ11を第二レバー部品4から第一レバー部品3へ推進し、前記ボタン13がまず押されて落とし、スリップ・キャップ11の位置決め溝22がボタン13箇所に到着した時、ボタン13がスプリング14の作用の下で弾まれ、ボタン13が固定溝21と位置決め溝22を通り抜けることによって、第二レバー部品4がスリップ・キャップ11と一体に接続することにする。第一レバー部品3が第二レバー部品4と分立する場合、ボタン13を押して、スリップ・キャップ11を第二レバー部品4の方向へ引くだけで良い。
【００２３】
最適化した前記第二レバー部品4外壁面に長さ方向を沿って伸びるガイドレール16が設置され、前記スリップ・キャップ11内壁面に、長さ方向を沿って最適化したガイド溝17が設置され、前記ガイドレール16はガイド溝17と配合する。このように、ガイドレール16とガイド溝17との配合を通じて、スリップ・キャップ11が第二レバー部品4を回って回転しないよう保証し、これでボタン13が位置決め溝22と良好に接続するのを保証する。
【００２４】
更に述べると、前記スリップ・キャップ11の内穴に面取り19が付き、前記ボタン13の縁はフィレット過渡である。面取り19とフィレット過渡の設計は、ボタン13がスリップ・キャップ11に順調に入るのを保証できる。
【００２５】
もっと更に述べると、前記第二レバー部品4の外壁面に止め突起18が設置されている。止め突起18は、スリップ・キャップ11が余分に第二レバー部品4の固定端に滑るのを防止できる。
【００２６】
以上は、例挙げ方式で本実用新案を説明したが、本実用新案は上述の具体実施例に限らない。本実用新案に基づく如何なる変更又は変形は全部本実用新案の保護要求範囲に属する。
【図１】
0003172727.tif 000003
【図２】
0003172727.tif 000004
【図３】
0003172727.tif 000005
【図４】
0003172727.tif 000006